(57)【要約】【課題】シートパッドを効率よく得る。【解決手段】第１型２２には、型面に、第１層部１２の凸状部１６を嵌め込み可能な凹状部２８が形成されている。第１型２２の型面における凹状部２８の保持壁面２８ａには、突部３０が突出するように設けられている。突部３０と第１層部１２の凸状部１６を干渉させて、凹状部２８に凸状部１６を嵌め合わせることで、第１層部１２を第１型２２に取り付ける。型閉じした第１型２２と第２型との間に画成されるキャビティで原料を発泡および硬化させて、第１型２２に取り付けられてキャビティに臨む第１層部１２と接合するように第２層部を成形することで、シートパッドを得る。【選択図】図６
2018130398.tif 000002
【特許請求の範囲】
【請求項１】
ビーズ発泡体からなる第１層部と、該第１層部とは別の発泡体からなる第２層部とを積層して構成されるシートパッドのうち、該第２層部を該第１層部と接合するように成形する成形型であって、
前記第１層部の外面の凸状部と型面に形成された凹状部との嵌め合いにより、該第１層部を取り付け可能な第１型と、
前記第１型との型閉じにより、該第１型および該第１型に取り付けられた前記第１層部との間に前記第２層部に合わせたキャビティを画成する第２型とを備え、
前記第１型は、前記凹状部における前記凸状部を挟む壁面に、該凹状部に嵌まる該凸状部と干渉するように該壁面から突出する突部を有している
ことを特徴とする成形型。
【請求項２】
前記突部は、前記第１層部に許容されているマイナスの寸法誤差以上の突出寸法で、前記壁面から突出している請求項１記載の成形型。
【請求項３】
前記突部は、前記凹状部の開口側から該凹状部の底側に向けて延びるように形成されている請求項１または２記載の成形型。
【請求項４】
前記突部は、突出端側が前記壁面に連なる根元側よりも細く形成されている請求項１〜３の何れか一項に記載の成形型。
【請求項５】
前記突部は、型閉じ時に下方に向けて開口する前記凹状部において垂直または垂直に近い角度で延びる前記壁面から突出している請求項１〜４の何れか一項に記載の成形型。
【請求項６】
ビーズ発泡体からなる第１層部と、該第１層部とは別の発泡体からなる第２層部とを積層して構成されるシートパッドの製造方法であって、
第１型の型面における凹状部の壁面から突出する突部に、該第１層部の外面における凸状部を干渉させて、該凹状部に該凸状部を嵌め合わせることで、該第１層部を該第１型に取り付け、
型閉じした前記第１型と第２型との間に画成されるキャビティで原料を発泡および硬化させて、該第１型に取り付けられて該キャビティに臨む前記第１層部と接合するように前記第２層部を成形する
ことを特徴とするシートパッドの製造方法。
【請求項７】
前記突部は、前記第１層部に設定されたマイナスの寸法誤差以上の突出寸法で前記壁面から突出するよう設定される請求項６記載のシートパッドの製造方法。
【請求項８】
前記第１層部の凸状部と、前記凹状部の壁面に該凸状部の挿入方向に延びるように形成された前記突部とを干渉させて、該凸状部を該凹状部に嵌め込む請求項６または７記載のシートパッドの製造方法。
【請求項９】
前記第１層部の凸状部と、突出端側が前記壁面に連なる根元側よりも細く形成された前記突部とを干渉させて、該凸状部を該凹状部に嵌め込む請求項６〜８の何れか一項に記載のシートパッドの製造方法。
【請求項１０】
型閉じ時に下方に向けて開口する前記凹状部において垂直または垂直に近い角度で延びる前記壁面から突出する突部に、前記凸状部において該壁面に合わせて形成された側面を干渉させて、該凸状部を該凹状部に下方から嵌め込む請求項６〜９の何れか一項に記載のシートパッドの製造方法。
【発明の詳細な説明】
【技術分野】
【０００１】
この発明は、多層の発泡体からなるシートパッドを成形する成形型およびシートパッドの製造方法に関するものである。
【背景技術】
【０００２】
車両の座席などの芯材として用いられるシートパッドとしては、座面側の上層をポリウレタン発泡体で形成すると共に、下層をポリスチロール発泡体で形成したものが提案されている(例えば、特許文献１参照)。特許文献１のように、シートパッドの一部を、ポリスチロール発泡体などの発泡ビーズ成形により得られるビーズ発泡体で構成することで、シートパッドの軽量化を図ることができる利点がある。
【０００３】
特許文献１のようなシートパッドは、別に成形して得られるポリスチロール発泡体を取り付けた上型と下型との間に画成されるキャビティで、ポリウレタン発泡体を発泡成形することで、上下の層を接合している。この際に、凹凸のある外形のポリスチロール発泡体を、該ポリスチロール発泡体の外形に合わせて凹凸する上型の型面に嵌め合わせることで、ポリスチロール発泡体を上型に取り付けている。
【先行技術文献】
【特許文献】
【０００４】
【特許文献１】特開平９−７０３３０号公報
【発明の概要】
【発明が解決しようとする課題】
【０００５】
前述したポリスチロール発泡体などのビーズ発泡体は、発泡体であるが故に、寸法のばらつきが発生し、また季節によっても寸法精度に変化がある。このため、上型とビーズ発泡体との凹凸の嵌め合いによって、ビーズ発泡体を上型に取り付ける方法であると、所定寸法よりも小さいビーズ発泡体は、上型から脱落してしまう。そして、ビーズ発泡体が上型から脱落しないようにするために、調整する手間や時間がかかっている。
【０００６】
本発明は、従来の技術に係る前記問題に鑑み、これらを好適に解決するべく提案されたものであって、効率よくシートパッドを得ることができる成形型およびシートパッドの製造方法を提供することを目的とする。
【課題を解決するための手段】
【０００７】
前記課題を克服し、所期の目的を達成するため、本願の請求項１に係る発明の成形型は、
ビーズ発泡体からなる第１層部と、該第１層部とは別の発泡体からなる第２層部とを積層して構成されるシートパッドのうち、該第２層部を該第１層部と接合するように成形する成形型であって、
前記第１層部の外面の凸状部と型面に形成された凹状部との嵌め合いにより、該第１層部を取り付け可能な第１型と、
前記第１型との型閉じにより、該第１型および該第１型に取り付けられた前記第１層部との間に前記第２層部に合わせたキャビティを画成する第２型とを備え、
前記第１型は、前記凹状部における前記凸状部を挟む壁面に、該凹状部に嵌まる該凸状部と干渉するように該壁面から突出する突部を有していることを要旨とする。
【０００８】
請求項２に係る発明では、前記突部は、前記第１層部に許容されているマイナスの寸法誤差以上の突出寸法で、前記壁面から突出していることを要旨とする。
【０００９】
請求項３に係る発明では、前記突部は、前記凹状部の開口側から該凹状部の底側に向けて延びるように形成されていることを要旨とする。
【００１０】
請求項４に係る発明では、前記突部は、突出端側が前記壁面に連なる根元側よりも細く形成されていることを要旨とする。
【００１１】
請求項５に係る発明では、前記突部は、型閉じ時に下方に向けて開口する前記凹状部において垂直または垂直に近い角度で延びる前記壁面から突出していることを要旨とする。
【００１２】
前記課題を克服し、所期の目的を達成するため、本願の請求項６に係る発明のシートパッドの製造方法は、
ビーズ発泡体からなる第１層部と、該第１層部とは別の発泡体からなる第２層部とを積層して構成されるシートパッドの製造方法であって、
第１型の型面における凹状部の壁面から突出する突部に、該第１層部の外面における凸状部を干渉させて、該凹状部に該凸状部を嵌め合わせることで、該第１層部を該第１型に取り付け、
型閉じした前記第１型と第２型との間に画成されるキャビティで原料を発泡および硬化させて、該第１型に取り付けられて該キャビティに臨む前記第１層部と接合するように前記第２層部を成形することを要旨とする。
請求項１および請求項６に係る発明によれば、第１型には、型面における凹状部の壁面から突出する突部を設けてあるので、第１型における型面の凹状部に第１層部の凸状部を嵌めて第１型に第１層部を取り付ける際に、突部を凸状部に干渉させることができる。ビーズ発泡体特有の弾性を有する第１層部と第１型の突部との干渉によって、第１型に取り付けた第１層部の脱落や位置ずれなどを防止することができる。特に、第１層部が設計寸法よりも小さい場合であっても、第１型において型面から突出する突部と第１層部との干渉によって、寸法誤差を吸収して第１層部を第１型に取り付けることができる。従って、第１層部の寸法誤差に合わせて、第１型を補修などする手間や時間を省くことができ、シートパッドを効率よく得ることができる。また、ビーズ発泡体特有の弾性を有する第１層部と突部とを干渉させるので、突部との干渉によって第１層部に欠けや割れなどの損傷を与え難い。
【００１３】
請求項７に係る発明では、前記突部は、前記第１層部に設定されたマイナスの寸法誤差以上の突出寸法で前記壁面から突出するよう設定されることを要旨とする。
請求項２および請求項７に係る発明によれば、寸法誤差の範囲内で第１層部の凸状部と突部とを適切に干渉させることができ、第１型に対して第１層部をより確実に取り付けることができる。
【００１４】
請求項８に係る発明では、前記第１層部の凸状部と、前記凹状部の壁面に該凸状部の挿入方向に延びるように形成された前記突部とを干渉させて、該凸状部を該凹状部に嵌め込むことを要旨とする。
請求項３および請求項８に係る発明によれば、突部が凹状部への凸状部の挿入方向に延びるように形成してあるので、第１層部の凸状部を第１型の凹状部へ嵌め合わせる際に案内することができる。また、第１層部の凸状部と第１型の凹状部とを嵌め合わせた後に、突部と凸状部との干渉により、第１層部をより確実に保持できる。
【００１５】
請求項９に係る発明では、前記第１層部の凸状部と、突出端側が前記壁面に連なる根元側よりも細く形成された前記突部とを干渉させて、該凸状部を該凹状部に嵌め込むことを要旨とする。
請求項４および請求項９に係る発明によれば、突部が突出端側が狭い先細り形状で形成されているので、第１層部の凸状部を第１型の凹状部へ嵌め合わせる際に、突部の干渉に伴う挿入負荷を軽減することができる。
【００１６】
請求項１０に係る発明では、型閉じ時に下方に向けて開口する前記凹状部において垂直または垂直に近い角度で延びる前記壁面から突出する突部に、前記凸状部において該壁面に合わせて形成された側面を干渉させて、該凸状部を該凹状部に下方から嵌め込むことを要旨とする。
請求項５および請求項１０に係る発明によれば、凹状部において垂直または垂直に近い角度で延びる壁面から突出する突部に凸状部の側面を干渉させて、凹状部に凸状部を嵌め込むので、型閉じ時に下方に開口する凹状部から凸状部が外れ難く、第１型からの第１層部の脱落を防止できる。
【発明の効果】
【００１７】
本発明に係る成形型によれば、シートパッドを効率よく成形することができる。本発明に係るシートパッドの製造方法によれば、シートパッドを効率よく得ることができる。
【図面の簡単な説明】
【００１８】
【図１】本発明の好適な実施例に係るシートパッドを、斜め上側から見た概略斜視図である。
【図２】実施例のシートパッドを、斜め下側から見た概略斜視図である。
【図３】図１のＡ−Ａ線端面図である。
【図４】図１のＢ−Ｂ線端面図である。
【図５】実施例のシートパッドの製造工程を示す説明図である。
【図６】実施例の第１型の要部を示す説明図である。
【図７】実施例の第１型の要部を示す概略斜視図である。
【図８】実施例のシートパッドの製造工程を示す説明図である。
【発明を実施するための形態】
【００１９】
次に、本発明に係る成形型およびシートパッドの製造方法につき、好適な実施例を挙げて、添付図面を参照して以下に説明する。
【実施例】
【００２０】
図１および図２に示すように、実施例のシートパッド１０は、車両の後部座席において使用者の下半身を支持する座部を構成するものである。図３および図４に示すように、シートパッド１０は、該シートパッド１０の下部を主に構成する第１層部１２と、第１層部１２に積層されて、該シートパッド１０の上部を主に構成する第２層部１４とを備え、第１層部１２と第２層部１４とを接合してある。実施例のシートパッド１０は、該シートパッド１０の外面における上面および側面が第２層部１４で構成され、該シートパッド１０の外面における下面の大部分が第１層部１２で構成されている。シートパッド１０は、第１層部１２と接するように成形される第２層部１４の接着力によって、第１層部１２と第２層部１４とが一体化されている。
【００２１】
前記第１層部１２は、発泡剤を含んだ発泡ビーズを蒸気等で加熱して発泡および成形することで得られるポリプロピレン発泡体(ＥＰＰ)やポリスチロール発泡体(ＥＰＳ)などの弾性を有するビーズ発泡体で構成されている。なお、第１層部１２は、第２層部１４を構成する素材よりも軽量な素材が用いられる。第１層部１２は、シートパッド１０において車体に面する下面を構成しており、車体への座席の取付部に応じて、下面が凹凸するように形成されている(図２参照)。実施例の第１層部１２の下面には、下方へ突出する凸状部１６が、シートパッド１０の長手方向に離れて２箇所設けられている。
【００２２】
前記第２層部１４は、重合反応によって生じるガスや発泡剤などの化学反応を利用する方法(化学反応ガス活用法)や、機械的に攪拌して気体を吹き込むなど、空気を混入させる方法(機械的混入法)等で得られる発泡体が用いられる。第２層部１４は、第１層部１２をなすビーズ発泡体と異なる発泡体が用いられ、例えばポリウレタン発泡体が採用される。また、第２層部１４は、座席に座った使用者側となることから、第１層部１２よりも柔軟性がある軟質発泡体が用いられている。
【００２３】
次に、実施例に係る第２層部１４の成形に用いる成形型２０について説明する。図５(ｃ)に示すように、成形型２０は、第１層部１２が取り付けられる第１型２２と、第２層部１４の外面を規定する第２型２４とを備え、第１型２２と第２型２４とが相対的に開閉可能になっている。実施例の成形型２０は、第１型２２が上型であると共に、第２型２４が型閉じ時に第１型２２の下側に配置される下型であり、第１型２２の下方に向いた型面に第１層部１２を取り付け可能にしてある。成形型２０は、第１層部１２を取り付けた第１型２２と第２型２４とを型閉じした際に、第２層部１４の形状に合わせたキャビティ２６を画成する(図８(ａ)および(ｂ))。成形型２０は、キャビティ２６において第２層部１４をなす樹脂原料(原料)を発泡・硬化させて、シートパッド１０を上下反転させた状態で第２層部１４を成形する。
【００２４】
図５(ｂ)に示すように、第１型２２は、シートパッド１０の下面をなす第１層部１２の下面形状の凹凸の少なくとも一部と嵌め合い可能な型面を有し、下方に向く型面に、第１層部１２の凸状部１６に応じて下方へ開口する凹状部２８が形成されている。実施例では、第１型２２の型面の形状が、第１層部１２の設計形状に合わせて形成され、第１層部１２の下面形状に応じて該型面が凹凸している。凹状部２８は、第１層部１２において凸状部１６の突出方向に延在する側面に応じて、上下(凸状部１６の凹状部２８への挿入方向)に延びる保持壁面(壁面)２８ａを有している。保持壁面２８ａは、成形型２０の型閉じ時に下方に向けて開口する凹状部２８において垂直または垂直に近い角度で延びており、実施例では、凹状部２８の開口側が底側と比べて広くなるようにわずかに傾いている。向き合う保持壁面２８ａ,２８ａの間に凸状部１６を挟んで第１層部１２を第１型２２に取り付けた際に、凸状部１６の側面と保持壁面２８ａとが相対する。ここで、保持壁面２８ａにおける垂直に近い角度は、下方に向けて開口する凹状部２８において垂直方向から１０度以下であればよく、５度以下が好ましい。垂直方向からの角度が、１０度以下であれば、第１型２２の下面に取り付けた第１層部１２の第１型２２からの脱落を適切に防止できる。垂直方向からの角度が、１０度を超えると、第１型２２の下面に取り付けた第１層部１２が第１型２２から脱落し易くなる。
【００２５】
図６に示すように、第１型２２は、凹状部２８の保持壁面２８ａに設けられて、凹状部２８に嵌まる凸状部１６の側面と干渉するように、保持壁面２８ａから突出する突部３０を有している。実施例の突部３０は、第１層部１２に許容されているマイナスの寸法誤差以上の突出寸法で、保持壁面２８ａから突出するように形成されている。例えば、突部３０の突出寸法は、第１層部１２の設計寸法からの最大公差の１．２〜２倍程度に設定するとよく、１．５倍程度がより好ましい。実施例の突部３０は、下方へ開口する凹状部２８の開口側から凹状部２８の底(天面)側にかけての全長に亘って、保持壁面２８ａからの突出寸法が同じに設定されている。
【００２６】
図７に示すように、突部３０は、下方へ開口する凹状部２８の開口側から凹状部２８の底(天面)側に向けて延びるように長細い線状に形成されており、干渉対象となる第１層部１２の大きさ等の条件によって変化するが、例えば、突部３０の幅を３ｍｍ〜１５ｍｍ程度に設定するとよい。実施例では、保持壁面２８ａにおいて、段状に凹む凹状部２８の開口から凹状部２８の１段目の段部までに亘る部分全体に亘って、突部３０が延在するように形成されている。また、突部３０は、突出端側が保持壁面２８ａに連なる根元側よりも細く形成されており、凸状部１６の凹状部２８への挿入方向と直交する方向(実施例では水平方向)に切断した断面形状が、例えば、三角形状(実施例)や、台形形状や、半円形状などの先細りになっている。
【００２７】
図７に示すように、保持壁面２８ａには、複数の突部３０が、凸状部１６の凹状部２８への挿入方向と直交する方向(実施例では水平方向)に並べて配置されている。複数の突部３０は、一定間隔(実施例)または適宜間隔をあけて並行配置しても、隣り合う突部３０,３０が連なるように配置してもよく、干渉対象となる第１層部１２の大きさ等の条件に応じて適宜配置される。第１型２２には、２つの凹状部２８のそれぞれにおいて、外側の保持壁面２８ａに突部３０が設けられる一方で、該外側の保持壁面２８ａと対面する内側の保持壁面２８ａに突部３０が設けられていない。このように、実施例の第１型２２には、２つの凸状部１６,１６のうちの外寄りの側面のそれぞれに干渉するように、互いに向けて突出する突部３０,３０が設けられている。なお、第１型２２は、切削等により突部３０を一体的に形成しても、突部３０または突部３０を含む型面の一部を第１型２２の本体と着脱可能に構成してもよい。
【００２８】
次に、前述した成形型２０を用いたシートパッド１０の製造方法について説明する。まず、ビーズ発泡法によって所要形状に成形して得られた第１層部１２を用意する(図５(ａ))。凸状部１６を第１型２２の凹状部２８に嵌め込んで、第１層部１２を第１型２２に取り付ける(図５(ｂ)、図６)。この際に、成形型２０の型閉じ時に下方に向けて開口する凹状部２８において垂直または垂直に近い角度で延びる保持壁面２８ａから突出する突部３０に、凸状部１６において保持壁面２８ａに合わせて形成された側面を干渉させて、凸状部１６を凹状部２８に下方から嵌め込む。そして、第１層部１２の設計形状に応じて形成された保持壁面２８ａから突出する突部３０が、凸状部１６の側面に干渉し、該側面における突部３０との干渉部分が突部３０により圧縮されて弾性変形し、凸状部１６が凹状部２８に挿入される(図６(ｂ))。これにより、第１層部１２の凸状部１６が凹状部２８の保持壁面２８ａの間に嵌まり込むだけでなく、突部３０が凸状部１６の側面に噛み込むように、凸状部１６と凹状部２８とが強干渉した状態で組み合わさる(図６(ｃ))。
【００２９】
次に、第２型２４に第２層部１４をなす樹脂原料を供給し(図５(ｃ))、第１型２２と第２型２４とを型閉じして、第１型２２、第１型２２に取り付けられた第１層部１２および第２型２４で画成されるキャビティ２６において、所定の加熱条件で加熱等することで、樹脂原料を発泡させる(図８(ａ))。第１型２２に取り付けられた第１層部１２がキャビティ２６に臨んでいるので、発泡した樹脂原料が第１層部１２に接すると共に、この状態で樹脂原料が硬化する。これにより、第２層部１４自身の接着力によって、第１型２２に取り付けられた第１層部１２とキャビティ２６で成形された第２層部１４とが接合して一体化することで、シートパッド１０が得られる(図８(ｂ))。そして、成形型２０を開いて、得られたシートパッド１０を取り出す(図８(ｃ))。
【００３０】
実施例の成形型２０およびシートパッド１０の製造方法によれば、第１型２２は、第１層部１２の外面に応じて凹凸するように型面が形成されているものの、該型面における凹状部２８の保持壁面２８ａから突出する突部３０を設けてあるので、凹状部２８に第１層部１２の凸状部１６を嵌め合わせた際に、突部３０を凸状部１６に干渉させることができる。そして、ビーズ発泡体特有の弾性を有する第１層部１２の凸状部１６と第１型２２の突部３０との干渉によって、第１型２２に取り付けた第１層部１２の脱落や位置ずれなどを防止することができる。特に、第１層部１２が設計寸法よりも小さい場合であっても、第１型２２において型面から突出する突部３０と第１層部１２の凸状部１６との干渉によって、寸法誤差を吸収して第１層部１２を第１型２２に取り付けることができる。従って、第１層部１２の寸法誤差や季節による寸法精度の変化に合わせて、第１型２２の補修などをする手間や時間を省くことができ、シートパッド１０を効率よく得ることができる。また、ビーズ発泡体特有の弾性を有する第１層部１２と突部３０とを干渉させるので、突部３０との干渉によって第１層部１２に欠けや割れなどの損傷を与え難い。
【００３１】
前記突部３０は、第１層部１２に設定されたマイナスの寸法誤差以上の突出寸法で保持壁面２８ａから突出しているので、許容された寸法誤差範囲にある第１層部１２であれば、第１層部１２の凸状部１６と突部３０とを適切に干渉させることができる。従って、第１層部１２の寸法誤差や季節による寸法精度の変化が生じたとしても、突部３０と凸状部１６との干渉により、第１型２２に対して第１層部１２をより確実に取り付けることができる。
【００３２】
前記突部３０が凹状部２８への凸状部１６の挿入方向に延びるように形成してあるので、第１層部１２の凸状部１６を第１型２２の凹状部２８へ嵌め合わせる際に、突部３０によって凸状部１６を案内することができる。また、第１層部１２の凸状部１６と第１型２２の凹状部２８とを嵌め合わせた後に、凸状部１６の突出方向に延びる突部３０と凸状部１６とが比較的広い範囲に亘って干渉するので、第１型２２に対して第１層部１２をより確実に取り付けることができる。
【００３３】
前記突部３０は、突出端側が狭い先細り形状で形成されているので、第１層部１２の凸状部１６を第１型２２の凹状部２８へ嵌め合わせる際に、突部３０の干渉に伴う挿入負荷を軽減することができる。
【００３４】
実施例の成形型２０およびシートパッド１０の製造方法によれば、凹状部２８において垂直または垂直に近い角度で延びる保持壁面２８ａから突出する突部３０に凸状部１６の側面を干渉させて、凹状部２８に凸状部１６を嵌め込んでいる。これにより、突部３０と第１層部１２の凸状部１６との干渉を、凸状部１６を保持壁面２８ａ,２８ａ間で挟み込む方向へ好適に作用させることができる。従って、成形型２０の型閉じ時に下方に開口する凹状部２８から凸状部１６をより外れ難くすることができ、第１型２２の下面に取り付けた第１層部１２の第１型２２からの脱落を適切に防止できる。
【００３５】
(変更例)
前述した構成に限定されず、例えば以下のようにも変更することができる。
(１)実施例の突部は、突出端側が細くなる形状であるが、これに限らず、根元側から突出端まで同じ幅であってもよい。また、突出端側が細くなる形状の突部であっても、突出端側に向かうにつれて次第に幅狭になる形状に限らず、突出端側が段状に幅狭になる形状であってもよい。
(２)実施例では、凹状部の開口側から底側へ向けて延在するように突部を設けたが、これに限らず、突部を線状ではなく突起状に設けてもよい。また、突部は、凹状部の開口側に配置しても、凹状部の底側に配置しても、凹状部の中間部に配置しても、複数箇所に配置しても、何れであってもよい。突部を複数箇所に配置する場合、全ての配置場所で同じ突出寸法としても、凹状部の底側へ向かうにつれて壁面からの突出寸法が大きくなるようにしてもよい。
(３)実施例では、突部の幅を開口側から底側に亘って同一に形成したが、これに限らず、例えば、開口側よりも底側を幅広に形成してもよい。換言すると、実施例では、突部を凹状部の開口側から底側へ向けて垂直方向へ延びるように形成したが、例えば、凹状部の開口側から底側へ向かうにつれて、突部の側面の一方または両方が他方から離れるように、直線的または曲線的に傾斜するようにしてもよい。直線的に傾斜する場合、突部の側面の傾斜角度は、凹状部の開口側から底側まで同じであっても、途中で変化してもよい。
(４)実施例では、突部の保持壁面からの突出寸法を開口側から底側に亘って同一に形成したが、これに限らず、例えば、開口側より底側が保持壁面から大きく突出するようにしてもよい。また、突部における凹状部の開口側となる縁部を、開口側の突出寸法が小さくなるテーパ形状としてもよい。
(５)実施例では、突部を凹状部への凸状部の挿入方向に直線的に延びるように配置したが、これに限らず、突部を当該挿入方向と交差するように傾斜して配置してもよい。この場合、突部における凹状部の開口側から底側へ向けた延在方向は、凹状部の開口側から底側まで同じであっても、途中で変化してもよく、また、前記挿入方向に延在した後に途中で角度を変えてもよい。更に、隣り合う突部同士を、凹状部の開口側が開く「ハ」の字状に配置しても、凹状部の開口側が狭まる逆「ハ」の字状に配置してもよい。
(６)実施例では、第１型の２つの凹状部のそれぞれについて、外側の保持壁面に突部を設けたが、複数の凹状部の少なくとも１つの壁面に突部を配置すればよい。また、第１層部の凸状部の周囲に対応した凹状部のうち、何れか１面の壁面に突部を配置すればよく、例えば実施例の凹状部において内側の保持壁面に突部を設けてもよい。
【符号の説明】
【００３６】
１０ シートパッド，１２ 第１層部，１４ 第２層部，１６ 凸状部，２２ 第１型，
２４ 第２型，２６ キャビティ，２８ 凹状部，２８ａ 保持壁面(壁面)
【図１】
2018130398.tif 000003
【図２】
2018130398.tif 000004
【図３】
2018130398.tif 000005
【図４】
2018130398.tif 000006
【図５】
2018130398.tif 000007
【図６】
2018130398.tif 000008
【図７】
2018130398.tif 000009
【図８】
2018130398.tif 000010